(57)【要約】【課題】両頭ピストンの頭部とシリンダボアの内周面との間の潤滑を良好なものとすることができる両頭ピストン型斜板式圧縮機を提供すること。【解決手段】内側パーツ１０５，１１５は、幅狭部１０５ａ，１１５ａに対して幅方向Ｗに突出し、幅狭部１０５ａ，１１５ａよりも幅が広い幅広部１０５ｂ，１１５ｂを有する。幅広部１０５ｂ，１１５ｂの外面は、両頭ピストン１００がシリンダボア内を往復動する際に、シリンダボアの内周面に摺動可能になっている。そして、幅広部１０５ｂ，１１５ｂの外面がシリンダボアの内周面に摺動しながら、両頭ピストン１００が下死点から上死点に向けて移動する際に、シリンダボア内の潤滑油が幅広部１０５ｂ，１１５ｂによって頭部１０３，１１３に向けて引き込まれる。【選択図】図４
2017180292.tif 000002
【特許請求の範囲】
【請求項１】
回転軸が収容されたハウジングと、
前記回転軸の回転に伴い回転する斜板と、
前記ハウジング内における前記回転軸に対して当該回転軸の径方向外側の位置に形成され、互いに前記回転軸の軸線方向に対向する一対のシリンダボアと、
前記一対のシリンダボア内を往復動可能であり、シューを介して前記斜板に係留された両頭ピストンと、
を備え、前記斜板の回転に伴い前記両頭ピストンが前記一対のシリンダボア内で往復動することにより、前記シリンダボア内に形成された圧縮室内の冷媒を圧縮する両頭ピストン型斜板式圧縮機であって、
前記両頭ピストンは、
前記両頭ピストンの軸線方向に対向配置され、前記シューを保持する一対のシュー保持部と、
前記一対のシュー保持部を連結し、前記斜板の外周側に設けられた首部と、
前記両頭ピストンの軸線方向の両端部に設けられ、前記一対のシリンダボア内に配置される一対の頭部と、
前記一対のシュー保持部と前記一対の頭部とを連結する一対の連結部と、
を有し、
前記一対の連結部はそれぞれ、
前記両頭ピストンの軸線方向に延びた外側パーツと、
前記外側パーツよりも前記回転軸の径方向内側に配置され、前記両頭ピストンの軸線方向に延び且つ前記外側パーツと前記回転軸の径方向に対向している内側パーツと、
を有し、
前記内側パーツ及び前記外側パーツの対向方向と、前記両頭ピストンの軸線方向との双方に直交する方向を幅方向とすると、
前記内側パーツは、前記頭部から連続して延びる幅狭部と、前記両頭ピストンの軸線方向において前記幅狭部よりも前記頭部とは反対側に設けられ、前記幅狭部に対して前記幅方向に突出し、前記幅狭部よりも幅が広い幅広部と、を有し、
前記幅広部の外面は、前記両頭ピストンが前記シリンダボア内を往復動する際に、前記シリンダボアの内周面に摺動可能になっていることを特徴とする両頭ピストン型斜板式圧縮機。
【請求項２】
前記幅広部は、前記幅方向両側に突出している請求項１に記載の両頭ピストン型斜板式圧縮機。
【請求項３】
前記斜板の傾斜角度を変更するアクチュエータを備え、
前記アクチュエータは、
前記回転軸の軸線方向に移動可能な移動体と、
前記移動体と協働して制御室を区画する区画体と、
を有し、前記制御室内の圧力に応じて前記移動体が移動することにより前記斜板の傾斜角度を変更する請求項１又は請求項２に記載の両頭ピストン型斜板式圧縮機。
【請求項４】
前記一対の頭部は第１頭部及び第２頭部であり、
前記第２頭部の径は、前記第１頭部の径よりも小さい請求項３に記載の両頭ピストン型斜板式圧縮機。
【発明の詳細な説明】
【技術分野】
【０００１】
本発明は、両頭ピストン型斜板式圧縮機に関する。
【背景技術】
【０００２】
圧縮機として、例えば、回転軸の回転に伴い回転する斜板と、当該斜板が回転することによって一対のシリンダボア内にて往復動する両頭ピストンと、を備え、両頭ピストンが往復動することによって一対のシリンダボア内に形成された圧縮室内の冷媒を圧縮する両頭ピストン型斜板式圧縮機がある（例えば特許文献１参照）。
【先行技術文献】
【特許文献】
【０００３】
【特許文献１】特開平７−１９７８８３号公報
【発明の概要】
【発明が解決しようとする課題】
【０００４】
ところで、両頭ピストンがシリンダボア内で往復動する際に、両頭ピストンの頭部とシリンダボアの内周面とは摺動している。冷媒には、摺動部品の潤滑に寄与する潤滑油が含まれている。ここで、頭部とシリンダボアの内周面との間の潤滑油が不足すると、頭部とシリンダボアの内周面との間で摩擦が生じ易くなり、耐久性が低下してしまう。
【０００５】
本発明は、上述した事情を鑑みてなされたものであり、その目的は、両頭ピストンの頭部とシリンダボアの内周面との間の潤滑を良好なものとすることができる両頭ピストン型斜板式圧縮機を提供することである。
【課題を解決するための手段】
【０００６】
上記目的を達成する両頭ピストン型斜板式圧縮機は、回転軸が収容されたハウジングと、前記回転軸の回転に伴い回転する斜板と、前記ハウジング内における前記回転軸に対して当該回転軸の径方向外側の位置に形成され、互いに前記回転軸の軸線方向に対向する一対のシリンダボアと、前記一対のシリンダボア内を往復動可能であり、シューを介して前記斜板に係留された両頭ピストンと、を備え、前記斜板の回転に伴い前記両頭ピストンが前記一対のシリンダボア内で往復動することにより、前記シリンダボア内に形成された圧縮室内の冷媒を圧縮する両頭ピストン型斜板式圧縮機であって、前記両頭ピストンは、前記両頭ピストンの軸線方向に対向配置され、前記シューを保持する一対のシュー保持部と、前記一対のシュー保持部を連結し、前記斜板の外周側に設けられた首部と、前記両頭ピストンの軸線方向の両端部に設けられ、前記一対のシリンダボア内に配置される一対の頭部と、前記一対のシュー保持部と前記一対の頭部とを連結する一対の連結部と、を有し、前記一対の連結部はそれぞれ、前記両頭ピストンの軸線方向に延びた外側パーツと、前記外側パーツよりも前記回転軸の径方向内側に配置され、前記両頭ピストンの軸線方向に延び且つ前記外側パーツと前記回転軸の径方向に対向している内側パーツと、を有し、前記内側パーツ及び前記外側パーツの対向方向と、前記両頭ピストンの軸線方向との双方に直交する方向を幅方向とすると、前記内側パーツは、前記頭部から連続して延びる幅狭部と、前記両頭ピストンの軸線方向において前記幅狭部よりも前記頭部とは反対側に設けられ、前記幅狭部に対して前記幅方向に突出し、前記幅狭部よりも幅が広い幅広部と、を有し、前記幅広部の外面は、前記両頭ピストンが前記シリンダボア内を往復動する際に、前記シリンダボアの内周面に摺動可能になっている。
【０００７】
これによれば、幅広部の外面がシリンダボアの内周面に摺動しながら、両頭ピストンが下死点から上死点に向けて移動する際に、シリンダボア内の潤滑油が幅広部によって頭部に向けて引き込まれる。これにより、頭部とシリンダボアの内周面との間に潤滑油が供給され易くなり、頭部とシリンダボアの内周面との間の潤滑を良好なものとすることができる。
【０００８】
上記両頭ピストン型斜板式圧縮機について、前記幅広部は、前記幅方向両側に突出していることが好ましい。
これによれば、幅広部が、幅方向片側のみに突出している場合に比べると、幅広部の外面がシリンダボアの内周面に摺動しながら、両頭ピストンが下死点から上死点に向けて移動する際に、幅広部によって頭部に向けて引き込まれるシリンダボア内の潤滑油の量を多くすることができる。その結果、頭部とシリンダボアの内周面との間に潤滑油がさらに供給され易くなり、頭部とシリンダボアの内周面との間の潤滑をさらに良好なものとすることができる。
【０００９】
上記両頭ピストン型斜板式圧縮機について、前記斜板の傾斜角度を変更するアクチュエータを備え、前記アクチュエータは、前記回転軸の軸線方向に移動可能な移動体と、前記移動体と協働して制御室を区画する区画体と、を有し、前記制御室内の圧力に応じて前記移動体が移動することにより前記斜板の傾斜角度を変更することが好ましい。頭部とシリンダボアの内周面との間の潤滑が良好なものであるため、両頭ピストンの摺動性が良好になり、容量可変の制御性の向上を図ることができる。
【００１０】
上記両頭ピストン型斜板式圧縮機について、前記一対の頭部は第１頭部及び第２頭部であり、前記第２頭部の径は、前記第１頭部の径よりも小さいことが好ましい。これによれば、第１頭部と第２頭部とで、冷媒からの受圧面積を異ならせることができる。これにより、冷媒圧縮時に生じる圧縮反力を異ならせることができるため、容量可変を行い易くなる。よって、容量可変の制御性の向上を図ることができる。
【発明の効果】
【００１１】
この発明によれば、両頭ピストンの頭部とシリンダボアの内周面との間の潤滑を良好なものとすることができる。
【図面の簡単な説明】
【００１２】
【図１】両頭ピストン型斜板式圧縮機の概要を模式的に示す断面図。
【図２】両頭ピストンの斜視図。
【図３】両頭ピストンの斜視図。
【図４】両頭ピストンを径方向内側から見た上面図。
【図５】両頭ピストン及びその周辺を模式的に示す拡大図。
【図６】両頭ピストン及びその周辺を模式的に示す拡大図。
【図７】別例の両頭ピストンを示す上面図。
【図８】別例の両頭ピストンを示す上面図。
【発明を実施するための形態】
【００１３】
以下、両頭ピストン型斜板式圧縮機を具体化した一実施形態を図１〜図６にしたがって説明する。なお、本実施形態の両頭ピストン型斜板式圧縮機は、車両に搭載されており、車両空調装置に用いられる。
【００１４】
図１に示すように、両頭ピストン型斜板式圧縮機（以降単に圧縮機という）１０は、その外郭を構成するハウジング１１を備えている。ハウジング１１は、全体として円筒状である。
【００１５】
ハウジング１１内には回転軸２０が回転可能な状態で収容されている。回転軸２０は、ハウジング１１内において中央寄りに配置されている。回転軸２０の軸線方向Ｚとハウジング１１の軸線方向とは一致している。なお、以降の説明において、回転軸２０の軸線方向Ｚを単に軸線方向Ｚとする。
【００１６】
ハウジング１１は、ハウジング１１における軸線方向Ｚの一端部を構成する筒状のフロントハウジング１２と、ハウジング１１における軸線方向Ｚの他端部を構成する有底筒状のリアハウジング１３と、フロントハウジング１２及びリアハウジング１３の間に配置された一対のシリンダブロック１４，１５とを有している。シリンダブロック１４，１５は、回転軸２０が挿通可能な軸孔２１，２２を有する筒状である。
【００１７】
第１シリンダブロック１４の第１軸孔２１は、第１シリンダブロック１４を軸線方向Ｚに貫通している。第１軸孔２１は、回転軸２０よりも若干大きい径の第１縮径孔２１ａと、第１縮径孔２１ａよりも大きい第１拡径孔２１ｂとを有している。第１縮径孔２１ａは、第１拡径孔２１ｂよりもフロントハウジング１２側に設けられている。
【００１８】
第２シリンダブロック１５の第２軸孔２２は、第２シリンダブロック１５を軸線方向Ｚに貫通している。第２軸孔２２は、回転軸２０よりも若干大きい径の第２縮径孔２２ａと、第２縮径孔２２ａよりも大きい第２拡径孔２２ｂとを有している。第２縮径孔２２ａは、第２拡径孔２２ｂよりもリアハウジング１３側に設けられている。
【００１９】
両シリンダブロック１４，１５は、両軸孔２１，２２（詳細には両拡径孔２１ｂ，２２ｂ）が軸線方向Ｚに対向する状態で連結されている。第１シリンダブロック１４は、フロントハウジング１２と連結されており、第２シリンダブロック１５は、リアハウジング１３と連結されている。
【００２０】
フロントハウジング１２と第１シリンダブロック１４との間には、第１弁／ポート体２３が設けられている。リアハウジング１３と第２シリンダブロック１５との間には、第２弁／ポート体２４が設けられている。弁／ポート体２３，２４はそれぞれ平板リング状に形成されている。弁／ポート体２３，２４の内径は回転軸２０よりも大きく設定されている。
【００２１】
回転軸２０は、両軸孔２１，２２及び両弁／ポート体２３，２４に挿通された状態で、フロントハウジング１２からリアハウジング１３まで跨って配置されている。この場合、回転軸２０の軸線方向Ｚの一端部は、フロントハウジング１２内に配置されており、回転軸２０の軸線方向Ｚの他端部は、リアハウジング１３と第２シリンダブロック１５とによって区画された調整室Ａ１内に配置されている。すなわち、回転軸２０は、両シリンダブロック１４，１５及び両弁／ポート体２３，２４を貫通している。調整室Ａ１は、リアハウジング１３の中央部に位置している。
【００２２】
回転軸２０と第１縮径孔２１ａの内周面との間には、回転軸２０を回転可能に支持する第１ラジアル軸受３１が設けられている。同様に、回転軸２０と第２縮径孔２２ａの内周面との間には、回転軸２０を回転可能に支持する第２ラジアル軸受４１が設けられている。回転軸２０は、両ラジアル軸受３１，４１によって回転可能な状態でハウジング１１に支持されている。
【００２３】
回転軸２０は、第１拡径孔２１ｂ内に配置され且つ回転軸２０の径方向（以降単に「径方向」という）Ｒに突出した第１軸突起２０ａと、第２拡径孔２２ｂ内に配置され且つ径方向Ｒに突出した第２軸突起２０ｂとを有している。第１軸突起２０ａは、径方向Ｒに沿って延びるとともに第１縮径孔２１ａと第１拡径孔２１ｂとを繋ぐ段差面２１ｃと軸線方向Ｚに対向しており、第１軸突起２０ａと段差面２１ｃとの間には第１スラスト軸受３２が設けられている。第２軸突起２０ｂは、径方向Ｒに沿って延びるとともに第２縮径孔２２ａと第２拡径孔２２ｂとを繋ぐ段差面２２ｃと軸線方向Ｚに対向しており、第２軸突起２０ｂと段差面２２ｃとの間には第２スラスト軸受４２が設けられている。
【００２４】
ハウジング１１内には、２つの吸入室３３，４３及び２つの吐出室３４，４４が形成されている。第１吸入室３３及び第１吐出室３４は、フロントハウジング１２と第１弁／ポート体２３とによって区画されている。第２吸入室４３及び第２吐出室４４は、リアハウジング１３と第２弁／ポート体２４とによって区画されている。両吸入室３３，４３は軸線方向Ｚに互いに対向配置されており、両吐出室３４，４４は軸線方向Ｚに互いに対向配置されている。吸入室３３，４３及び吐出室３４，４４は、軸線方向Ｚから見て環状に形成されており、吐出室３４，４４は、吸入室３３，４３の外周側に配置されている。
【００２５】
圧縮機１０は、回転軸２０の回転に伴って回転するものであって、回転軸２０に対して傾斜している斜板５０を備えている。斜板５０は、回転軸２０の軸線方向Ｚに直交する方向に対して傾斜している。
【００２６】
斜板５０は、回転軸２０が挿通された斜板挿通孔５１を有する平板リング状の本体斜板部５２を有している。本体斜板部５２は、第１シリンダブロック１４側に配置された第１斜面５２ａと、第１斜面５２ａとは反対側の第２斜面５２ｂとを有している。
【００２７】
ここで、本実施形態の斜板５０は、回転軸２０の軸線方向Ｚに直交する方向に対する傾斜角度を変更可能に構成されている。
ハウジング１１には、斜板５０を収容する斜板室Ａ２が形成されている。斜板室Ａ２は、両シリンダブロック１４，１５によって区画された空間である。斜板室Ａ２は、両軸孔２１，２２の間に設けられており、両軸孔２１，２２と連通している。
【００２８】
第２シリンダブロック１５における斜板室Ａ２を区画する側壁には、吸入口５３が形成されている。このため、吸入口５３と斜板室Ａ２とは連通している。そして、ハウジング１１には、斜板室Ａ２と吸入室３３，４３とを連通する吸入通路５４が形成されている。吸入通路５４は、第１シリンダブロック１４及び第１弁／ポート体２３を軸線方向Ｚに貫通するものであって斜板室Ａ２と第１吸入室３３とを連通する第１吸入通路５４ａと、第２シリンダブロック１５及び第２弁／ポート体２４を軸線方向Ｚに貫通するものであって斜板室Ａ２と第２吸入室４３とを連通する第２吸入通路５４ｂとを有する。
【００２９】
吸入口５３から吸入された冷媒は、斜板室Ａ２及び吸入通路５４を通って、吸入室３３，４３に流れ込む。この場合、斜板室Ａ２及び斜板室Ａ２と連通している両拡径孔２１ｂ，２２ｂ内の圧力は、吸入口５３から吸入される吸入冷媒の圧力と同一となっている。なお、冷媒には、摺動部品の潤滑に寄与する潤滑油が含まれている。
【００３０】
ハウジング１１内には、両吐出室３４，４４と連通する吐出通路５５が形成されている。吐出通路５５は、斜板室Ａ２及び後述するシリンダボア９１，９２に対して径方向Ｒ外側に設けられている。吐出通路５５は、ハウジング１１（詳細には第２シリンダブロック１５の側壁）に形成された吐出口５６に連通している。両吐出室３４，４４内の冷媒は、吐出通路５５を通って、吐出口５６から吐出される。
【００３１】
圧縮機１０は、斜板５０の傾斜角度の変更を許容しつつ、斜板５０と回転軸２０とが一体回転するように両者を連結するリンク機構６０を備えている。リンク機構６０は、一部を除き、斜板５０よりもフロントハウジング１２側にある。
【００３２】
リンク機構６０は、第１拡径孔２１ｂ内及び斜板室Ａ２に跨って配置されるラグアーム６１と、ラグアーム６１が揺動可能な状態でラグアーム６１と斜板５０とを連結する第１リンクピン６２と、ラグアーム６１が揺動可能な状態でラグアーム６１と回転軸２０とを連結する第２リンクピン６３とを有する。
【００３３】
ラグアーム６１は、フロントハウジング１２側を基端部とし、斜板５０側を先端部とする略Ｌ字状である。ラグアーム６１の先端部は、斜板５０の本体斜板部５２に形成されたアーム用貫通孔５２ｃを介して斜板５０よりもリアハウジング１３側に突出しており、その突出部分にはウエイトが設けられている。
【００３４】
アーム用貫通孔５２ｃは、例えば、斜板５０の全周に亘る環状ではなく軸線方向Ｚから見て矩形となっている。アーム用貫通孔５２ｃの内面は、斜板挿通孔５１とアーム用貫通孔５２ｃとの並設方向及び軸線方向Ｚの双方と直交する方向に対向する一対の対向内面を含む。
【００３５】
第１リンクピン６２は、例えば円柱状であり、第１リンクピン６２の軸線方向と上記一対の対向内面の対向方向とが一致するようにアーム用貫通孔５２ｃ内に配置されている。第１リンクピン６２は、ラグアーム６１の軸線方向Ｚに延びている部分を貫通した状態で、斜板５０に取り付けられている。ラグアーム６１の軸線方向Ｚに延びている部分は、第１リンクピン６２の軸心を第１揺動中心Ｍ１として、斜板５０に対して揺動可能に支持されている。
【００３６】
第２リンクピン６３は、例えば円柱状であり、第２リンクピン６３の軸線方向と第１リンクピン６２の軸線方向とが平行となるように配置されている。第２リンクピン６３は、ラグアーム６１の基端部のうち、ラグアーム６１の軸線方向Ｚに延びている部分が設けられている側とは反対側の位置に設けられている。第２リンクピン６３は、ラグアーム６１の基端部を貫通した状態で、回転軸２０に固定されている。ラグアーム６１の基端部は、第２リンクピン６３の軸心を第２揺動中心Ｍ２として、回転軸２０に対して揺動可能に支持されている。
【００３７】
圧縮機１０は、斜板５０の傾斜角度を変更するアクチュエータ７０を備えている。アクチュエータ７０は、斜板５０よりもリアハウジング１３側に設けられている。
アクチュエータ７０は、軸線方向Ｚに移動可能な移動体７１と、移動体７１と協働して制御室Ａ３を区画する区画体７２と、移動体７１と斜板５０とを連結する一対の連結片７３と、を有している。
【００３８】
移動体７１は、底部と筒部とを有する有底筒状（詳細には有底円筒状）であり、移動体７１の底部には、回転軸２０が挿通可能な挿通孔が形成されている。移動体７１は、上記挿通孔に回転軸２０が挿通され且つ移動体７１の開口側が斜板室Ａ２に向いた状態で、回転軸２０と一体回転する。
【００３９】
区画体７２は、平板リング状であり、その外径は移動体７１の内径と同一に設定されている。区画体７２は、回転軸２０に挿通され且つ移動体７１に嵌り込んだ状態で、回転軸２０と一体回転するように回転軸２０に固定されている。移動体７１の斜板室Ａ２側の開口は、区画体７２によって塞がれている。移動体７１の内周面及び底面と、区画体７２における斜板室Ａ２とは反対側の面とによって制御室Ａ３が区画されている。制御室Ａ３は、斜板５０の傾斜角度の制御に用いられる室である。
【００４０】
移動体７１の内周面と区画体７２の外周面との間はシールされており、制御室Ａ３と斜板室Ａ２との間の冷媒の移動は規制されている。このため、制御室Ａ３と斜板室Ａ２とは圧力が相違し得る。そして、制御室Ａ３と斜板室Ａ２との圧力差に応じて、移動体７１の位置が変動するようになっている。
【００４１】
回転軸２０には、調整室Ａ１と制御室Ａ３とを連通する軸内通路７４が形成されている。軸内通路７４は、調整室Ａ１に開口し且つ軸線方向Ｚに延びた軸方向部分と、軸方向部分と連通しているものであって、制御室Ａ３に開口し且つ径方向Ｒに延びた径方向部分とを有している。軸内通路７４を介して、制御室Ａ３と調整室Ａ１との間で冷媒の移動が可能となっているため、制御室Ａ３と調整室Ａ１とは圧力が同一になっている。
【００４２】
圧縮機１０は、調整室Ａ１の圧力を制御する圧力制御部７５を備えている。圧力制御部７５は、第２吸入室４３と調整室Ａ１とを連通する低圧流路と、第２吐出室４４と調整室Ａ１とを連通する高圧流路と、低圧流路上に設けられ、調整室Ａ１から第２吸入室４３へ排出される冷媒の排出量を調整する弁と、高圧流路上に設けられ、高圧流路を流れる吐出冷媒の流量を絞るオリフィスとを有している。圧力制御部７５は、弁を制御することにより、制御室Ａ３の圧力を制御することができ、それを通じて移動体７１の位置を調整可能となっている。
【００４３】
一対の連結片７３は、移動体７１における軸線方向Ｚから見て環状の開口端の一部、詳細には回転軸２０に対してラグアーム６１の先端部側とは反対側から斜板５０側に突出しており、両揺動中心Ｍ１，Ｍ２の揺動軸方向と同一方向に対向配置されている。
【００４４】
斜板５０は、第２斜面５２ｂから突出し、且つ、上記揺動軸方向から見て一対の連結片７３に重なる板状の連結受け部７６を有している。連結受け部７６は、第２斜面５２ｂのうち斜板挿通孔５１に対して、アーム用貫通孔５２ｃとは反対側に配置されている。連結受け部７６には、上記揺動軸方向に延びた連結ピン７７が挿通可能な連結用孔が形成されている。連結ピン７７は、一対の連結片７３の間に配置され、斜板５０に設けられた連結用孔に挿通された状態で一対の連結片７３に固定されている。これにより、斜板５０は、移動体７１に対して支持されている。この場合、移動体７１の移動に伴って斜板５０の傾斜角度が変更される。つまり、移動体７１の位置調整によって斜板５０の傾斜角度の調整が可能となっている。
【００４５】
なお、図示の簡略化のため、連結ピン７７と連結用孔とは同一形状としたが、実際には連結用孔は、斜板５０の傾斜角度の変更に対応できるように、連結ピン７７よりも径が大きい縦長のオーバル形状となっている。
【００４６】
斜板５０は、第１斜面５２ａから突出した第１突出部８１と、連結受け部７６とは別に設けられ、第２斜面５２ｂから突出した第２突出部８２とを有している。
第１突出部８１は、第１斜面５２ａの全周に亘って設けられているのではなく、第１斜面５２ａのうち斜板挿通孔５１に対してアーム用貫通孔５２ｃとは反対側の一部に設けられている。第２突出部８２は、第２斜面５２ｂのうち斜板挿通孔５１の周囲において周方向に延びている。両突出部８１，８２は、斜面５２ａ，５２ｂのうち後述する一対のシュー１２０に挟持される部分よりも内側に設けられている。このため、斜板５０の外周端部は、両突出部８１，８２や連結受け部７６が設けられている部分と比較して肉薄となっている。
【００４７】
回転軸２０の第１軸突起２０ａには、復帰バネ８３が固定されている。復帰バネ８３は、第１軸突起２０ａから斜板室Ａ２に向けて軸線方向Ｚに延びている。また、区画体７２と斜板５０との間には、傾角減少バネ８４が設けられている。傾角減少バネ８４の一端は区画体７２に固定されており、傾角減少バネ８４の他端は斜板５０に固定されている。傾角減少バネ８４は、斜板５０を、斜板５０の傾斜角度が小さくなる方向へ付勢している。
【００４８】
圧縮機１０は、ハウジング１１内における回転軸２０に対して径方向Ｒの外側の位置に形成され、互いに軸線方向Ｚに対向する一対のシリンダボア９１，９２を備えている。シリンダボア９１，９２は、シリンダブロック１４，１５における軸孔２１，２２に対して径方向Ｒの外側の位置に設けられている。シリンダボア９１，９２は、シリンダブロック１４，１５の軸孔２１，２２の周囲において、斜板室Ａ２を介して互いに軸線方向Ｚに対向するように周方向に並んで複数設けられている。
【００４９】
なお、図示の都合上、図１においては、両シリンダボア９１，９２を１つずつ示す。また、吸入通路５４ａ，５４ｂとシリンダボア９１，９２とは、軸孔２１，２２の周囲において互いに干渉しないように周方向にずれて形成されている。
【００５０】
シリンダボア９１，９２は、シリンダブロック１４，１５を軸線方向Ｚに貫通している。シリンダボア９１，９２の一方の開口は斜板室Ａ２と連通している一方、シリンダボア９１，９２の他方の開口は弁／ポート体２３，２４によって塞がれている。第１シリンダボア９１の内部空間と、第１吸入室３３及び第１吐出室３４とは、第１弁／ポート体２３によって仕切られており、第２シリンダボア９２の内部空間と、第２吸入室４３及び第２吐出室４４とは、第２弁／ポート体２４によって仕切られている。
【００５１】
弁／ポート体２３，２４は、シリンダボア９１，９２の開口を塞いでいる部分に設けられているものとして、吸入室３３，４３と連通している吸入ポート２３ａ，２４ａと、吐出室３４，４４と連通している吐出ポート２３ｂ，２４ｂとを有している。吸入ポート２３ａ，２４ａ及び吐出ポート２３ｂ，２４ｂは、シリンダボア９１，９２が周方向に並んで複数設けられていることに対応させて、周方向に並んで複数設けられている。
【００５２】
圧縮機１０は、一対のシリンダボア９１，９２内を往復動可能な両頭ピストン１００と、両頭ピストン１００を斜板５０に係留する一対のシュー１２０とを備えている。
両頭ピストン１００は、両頭ピストン１００の軸線方向が回転軸２０の軸線方向Ｚ（換言すれば一対のシリンダボア９１，９２の対向方向）と一致するように一対のシリンダボア９１，９２内に収容されている。
【００５３】
両頭ピストン１００は、一対のシリンダボア９１，９２が周方向に並んで複数設けられていることに対応させて、周方向に並んで複数設けられている。すなわち、両頭ピストン１００は、一対のシリンダボア９１，９２に１つずつ設けられている。
【００５４】
両頭ピストン１００等の詳細な構成について以下に説明する。
図２〜図４に示すように、両頭ピストン１００は、首部１０１と、シュー１２０を保持するシュー保持部１０２，１１２と、両頭ピストン１００の軸線方向の両端部に設けられた一対の頭部１０３，１１３と、シュー保持部１０２，１１２と頭部１０３，１１３とを連結する一対の連結部１０４，１１４とを有している。一対のシュー保持部１０２，１１２は、両頭ピストン１００の軸線方向に対向配置されている。首部１０１は、一対のシュー保持部１０２，１１２を連結している。
【００５５】
連結部１０４，１１４は、両頭ピストン１００の軸線方向に延び且つ互いに径方向Ｒに対向配置された内側パーツ１０５，１１５及び外側パーツ１０６，１１６と、内側パーツ１０５，１１５及び外側パーツ１０６，１１６の双方を連結している板状部１０７，１１７とを有している。内側パーツ１０５，１１５は、外側パーツ１０６，１１６よりも、回転軸２０の径方向Ｒの内側（換言すれば回転軸２０に近い側）に配置されている。
【００５６】
なお、両頭ピストン１００の軸線方向とは、一対の頭部１０３，１１３の対向方向とも言え、回転軸２０の径方向Ｒとは、内側パーツ１０５，１１５及び外側パーツ１０６，１１６の対向方向とも言える。また、説明の便宜上、以降の説明においては、両頭ピストン１００の軸線方向、及び、内側パーツ１０５，１１５及び外側パーツ１０６，１１６の対向方向の双方と直交する方向を幅方向Ｗとする。
【００５７】
一対のシュー保持部１０２，１１２は、互いに対向する半球面１０２ａ，１１２ａを有している。半球面１０２ａ，１１２ａは、互いに離れる方向に凹となっている。
図５及び図６に示すように、斜板５０の外周端部は、一対のシュー保持部１０２，１１２の間に配置されている。一対のシュー１２０の一方は、斜板５０の第１斜面５２ａと第１シュー保持部１０２の第１半球面１０２ａとの間に設けられている。一対のシュー１２０の他方は、斜板５０の第２斜面５２ｂと第２シュー保持部１１２の第２半球面１１２ａとの間に設けられている。各シュー１２０は半球状に形成されている。各シュー１２０の底面は、斜面５２ａ，５２ｂの外周端部分に当接しており、各シュー１２０の球面は半球面１０２ａ，１１２ａに当接している。一対のシュー保持部１０２，１１２は、斜板５０の外周端部が一対のシュー１２０によって挟持された状態で、一対のシュー１２０を保持している。
【００５８】
斜板５０が回転した場合、シュー１２０を介して、両頭ピストン１００に軸線方向Ｚの成分を含む押圧力が付与される。これにより、斜板５０の回転が、両頭ピストン１００に往復動に変換される。この場合、斜板５０の傾斜角度に応じて、両頭ピストン１００のストローク量が変更される。
【００５９】
首部１０１は、斜板５０の外周側、詳細には斜板５０よりも回転軸２０の径方向Ｒの外側に配置されている。図４に示すように、首部１０１の幅Ｗ１は、シュー保持部１０２，１１２の幅であるシュー座幅Ｗ２と同一である。但し、これに限られず、首部１０１の幅Ｗ１は、シュー座幅Ｗ２よりも広くてもよい。一対のシュー保持部１０２，１１２は、首部１０１の内周面のうち両頭ピストン１００の軸線方向の両端部に設けられている。
【００６０】
図３に示すように、首部１０１の外周面は、第１シリンダボア９１の内周面に沿うように湾曲している。図２及び図３に示すように、頭部１０３，１１３は、底面１０３ａ，１１３ａ及び外周面１０３ｂ，１１３ｂを有するものであってシュー保持部１０２，１１２側に開口した有底筒状である。第１頭部１０３は、両頭ピストン１００の位置に関わらず、少なくとも一部が第１シリンダボア９１内に収容されており、第２頭部１１３は、両頭ピストン１００の位置に関わらず、少なくとも一部が第２シリンダボア９２内に収容されている。
【００６１】
図５及び図６に示すように、シリンダボア９１，９２内には、頭部１０３，１１３の底面１０３ａ，１１３ａと、シリンダボア９１，９２の内周面と、弁／ポート体２３，２４とによって区画された圧縮室Ａ４，Ａ５が形成されている。圧縮室Ａ４，Ａ５は、吸入ポート２３ａ，２４ａを介して吸入室３３，４３と連通しており、吐出ポート２３ｂ，２４ｂを介して吐出室３４，４４と連通している。
【００６２】
そして、両頭ピストン１００が往復動することによって、吸入室３３，４３から圧縮室Ａ４，Ａ５に吸入された冷媒が圧縮され、その圧縮された冷媒が吐出室３４，４４に吐出される。この場合、斜板５０の傾斜角度に応じて両頭ピストン１００のストローク量が変化するため、圧縮される冷媒の容量も変化する。すなわち、本実施形態の圧縮機１０は、容量可変型である。
【００６３】
本実施形態では、第１頭部１０３は、第２頭部１１３よりも径が大きく形成されている。このため、第１頭部１０３と第２頭部１１３とで、冷媒の受圧面積が異なっている。
また、両頭部１０３，１１３の径の違いに対応させて、第１シリンダボア９１は、第２シリンダボア９２よりも一回り大きく形成されている。詳細には、第１シリンダボア９１の内周面の径は、第２シリンダボア９２の内周面の径よりも大きい。
【００６４】
図３に示すように、首部１０１の外周面には、両頭ピストン１００が両シリンダボア９１，９２内で回転するのを規制する回り止め部１２３が形成されている。図４に示すように、回り止め部１２３は幅方向Ｗに延びている。回り止め部１２３の幅方向Ｗの両端部は、径方向Ｒから見て、首部１０１よりもはみ出している。回り止め部１２３の外周面は、側壁内周面１５ａに沿うように湾曲している。回り止め部１２３の外周面が側壁内周面１５ａと当接することによって、ピストン軸を中心とする両頭ピストン１００の回転が規制されている。
【００６５】
第１連結部１０４の第１内側パーツ１０５及び第１外側パーツ１０６の外周面は、シリンダボア９１の内周面に沿うように湾曲している。第２連結部１１４の第２内側パーツ１１５及び第２外側パーツ１１６の外周面は、シリンダボア９２の内周面に沿うように湾曲している。
【００６６】
図２及び図３に示すように、第１外側パーツ１０６は、第１頭部１０３における径方向Ｒの外側部分から両頭ピストン１００の軸線方向に延びており、第１シュー保持部１０２及び首部１０１の双方と第１頭部１０３とを連結している。詳細には、第１外側パーツ１０６は、第１シュー保持部１０２及び首部１０１の接続箇所と、第１頭部１０３における径方向Ｒの外側部分とに繋がっている。第１外側パーツ１０６は、幅方向Ｗに幅を有し、且つ、径方向Ｒに厚さを有する板状である。
【００６７】
第１内側パーツ１０５は、第１頭部１０３における径方向Ｒの内側の部分から両頭ピストン１００の軸線方向に延びており、第１頭部１０３側に配置され、第１頭部１０３から連続して延びる第１幅狭部１０５ａと、第１シュー保持部１０２側に配置された第１幅広部１０５ｂとを有している。よって、第１幅広部１０５ｂは、両頭ピストン１００の軸線方向において第１幅狭部１０５ａよりも第１頭部１０３とは反対側に設けられている。
【００６８】
第１内側パーツ１０５は、幅方向Ｗに幅を有し、且つ、径方向Ｒに厚さを有する板状である。両頭ピストン１００の軸線方向における第１内側パーツ１０５の長さは、第１外側パーツ１０６の長さよりも短い。このため、第１内側パーツ１０５の第１幅広部１０５ｂは、径方向Ｒから見て、第１頭部１０３と第１シュー保持部１０２との間に配置されている。
【００６９】
図４に示すように、第１幅狭部１０５ａの幅Ｗ３は、シュー座幅Ｗ２よりも狭い。第１幅広部１０５ｂは、第１幅狭部１０５ａに連続するとともに第１幅狭部１０５ａに対して幅方向Ｗ両側に突出する一対の第１引き込み部１０５ｃを有する。よって、第１幅広部１０５ｂは、第１幅狭部１０５ａに対して幅方向Ｗ両側に突出している。第１引き込み部１０５ｃは、第１幅狭部１０５ａに連続するとともに両頭ピストン１００の軸線方向において第１頭部１０３から離れていくにつれて幅方向Ｗ側に位置する側面が幅方向Ｗ外側に徐々に広がっていく拡大部１０５ｄを有する。また、第１引き込み部１０５ｃは、拡大部１０５ｄに連続するとともに幅方向Ｗに位置する側面が両頭ピストン１００の軸線方向に沿って延びる最大幅部１０５ｅを有する。よって、第１幅広部１０５ｂの幅Ｗ４は、第１幅狭部１０５ａの幅Ｗ３よりも広くなっている。第１幅広部１０５ｂの幅Ｗ４は、最大幅部１０５ｅの幅方向Ｗの幅である。
【００７０】
図２に示すように、第１幅狭部１０５ａ及び第１幅広部１０５ｂの外面は、第１頭部１０３の外周面１０３ｂと同一周面上に位置しており、シリンダボア９１の内周面に沿うように湾曲している。第１幅広部１０５ｂの外面は、両頭ピストン１００が一対のシリンダボア９１，９２内を往復動する際に、第１シリンダボア９１の内周面に摺動可能になっている。
【００７１】
第１内側パーツ１０５は、第１シュー保持部１０２よりも径方向Ｒの内側に配置されている。このため、第１内側パーツ１０５の第１幅広部１０５ｂと第１シュー保持部１０２とは段差状となっている。第１連結部１０４は、段差状となっている第１内側パーツ１０５の第１幅広部１０５ｂと第１シュー保持部１０２とを繋ぐ第１リブ部１０９を有している。第１リブ部１０９は、幅方向Ｗから見て傾斜している。
【００７２】
第１連結部１０４の第１板状部１０７は、幅方向Ｗを厚さ方向としており、その板厚は、第１内側パーツ１０５及び第１外側パーツ１０６の幅よりも薄い。第１板状部１０７には、幅方向Ｗに貫通している第１貫通孔１０７ａが形成されている。第１貫通孔１０７ａは、例えば幅方向Ｗから見て第１シュー保持部１０２に向けて凹となった形状であり、有底筒状の第１頭部１０３の内側空間と連通している。
【００７３】
第２連結部１１４は、第１連結部１０４よりも両頭ピストン１００の軸線方向の長さが長いこと等を除いて、基本的には第１連結部１０４と同様である。
図２及び図３に示すように、第２外側パーツ１１６は、第２頭部１１３における径方向Ｒの外側部分から両頭ピストン１００の軸線方向に延びており、第２シュー保持部１１２及び首部１０１の双方と第２頭部１１３とを連結している。
【００７４】
第２内側パーツ１１５は、第２頭部１１３における径方向Ｒの内側の部分から両頭ピストン１００の軸線方向に連続して延びており、第２頭部１１３側に配置された第２幅狭部１１５ａと、第２シュー保持部１１２側に配置された第２幅広部１１５ｂとを有している。よって、第２幅広部１１５ｂは、両頭ピストン１００の軸線方向において第２幅狭部１１５ａよりも第２頭部１１３とは反対側に設けられている。第２幅広部１１５ｂは、径方向Ｒから見て、第２頭部１１３と第２シュー保持部１１２との間に配置されている。
【００７５】
図４に示すように、第２幅狭部１１５ａの幅Ｗ３は、シュー座幅Ｗ２よりも狭い。第２幅広部１１５ｂは、第２幅狭部１１５ａに連続するとともに第２幅狭部１１５ａに対して幅方向Ｗ両側に突出する一対の第２引き込み部１１５ｃを有する。よって、第２幅広部１１５ｂは、第２幅狭部１１５ａに対して幅方向Ｗ両側に突出している。第２引き込み部１１５ｃは、第２幅狭部１１５ａに連続するとともに両頭ピストン１００の軸線方向において第２頭部１１３から離れていくにつれて幅方向Ｗ側に位置する側面が幅方向Ｗ外側に徐々に広がっていく拡大部１１５ｄを有する。また、第２引き込み部１１５ｃは、拡大部１１５ｄに連続するとともに幅方向Ｗに位置する側面が両頭ピストン１００の軸線方向に沿って延びる最大幅部１１５ｅを有する。よって、第２幅広部１１５ｂの幅Ｗ４は、第２幅狭部１１５ａの幅Ｗ３よりも広くなっている。第２幅広部１１５ｂの幅Ｗ４は、最大幅部１１５ｅの幅方向の幅である。なお、第１幅広部１０５ｂ及び第２幅広部１１５ｂの幅Ｗ４は同じであってもよいし、異なっていてもよい。
【００７６】
図２に示すように、第２幅狭部１１５ａ及び第２幅広部１１５ｂの外面は、第２頭部１１３の外周面１１３ｂと同一周面上に位置しており、シリンダボア９２の内周面に沿うように湾曲している。第２幅広部１１５ｂの外面は、両頭ピストン１００が一対のシリンダボア９１，９２内を往復動する際に、第２シリンダボア９２の内周面に摺動可能になっている。
【００７７】
第２内側パーツ１１５は、第２シュー保持部１１２よりも径方向Ｒの内側に配置されており、第２内側パーツ１１５の第２幅広部１１５ｂと第２シュー保持部１１２とは段差状となっている。そして、第２内側パーツ１１５は、段差状となっている第２内側パーツ１１５の第２幅広部１１５ｂと第２シュー保持部１１２とを繋ぐ第２リブ部１１９を有している。第２リブ部１１９は、幅方向Ｗから見て傾斜している。
【００７８】
第２連結部１１４の第２板状部１１７の板厚は、第２内側パーツ１１５及び第２外側パーツ１１６の幅よりも薄い。第２板状部１１７には、幅方向Ｗに貫通している第２貫通孔１１７ａが形成されている。第２貫通孔１１７ａは、例えば幅方向Ｗから見て第２シュー保持部１１２に向けて凹となった形状であり、有底筒状の第２頭部１１３の内側空間と連通している。
【００７９】
次に、本実施形態の作用について説明する。
両頭ピストン１００が一対のシリンダボア９１，９２内で往復動する際に、第１頭部１０３とシリンダボア９１の内周面とが摺動するとともに、第２頭部１１３とシリンダボア９２の内周面とが摺動している。
【００８０】
図５に示すように、第１幅広部１０５ｂの外面がシリンダボア９１の内周面に摺動しながら、第１頭部１０３が下死点から上死点に向けて移動するように両頭ピストン１００が一対のシリンダボア９１，９２内を移動する際には、シリンダボア９１内の潤滑油が第１幅広部１０５ｂの第１引き込み部１０５ｃによって第１頭部１０３に向けて引き込まれる。これにより、第１頭部１０３とシリンダボア９１の内周面との間に潤滑油が効率良く供給される。
【００８１】
図６に示すように、第２幅広部１１５ｂの外面がシリンダボア９２の内周面に摺動しながら、第２頭部１１３が下死点から上死点に向けて移動するように両頭ピストン１００が一対のシリンダボア９１，９２内を移動する際には、シリンダボア９２内の潤滑油が第２幅広部１１５ｂの第２引き込み部１１５ｃによって第２頭部１１３に向けて引き込まれる。これにより、第２頭部１１３とシリンダボア９２の内周面との間に潤滑油が効率良く供給される。
【００８２】
上記実施形態では以下の効果を得ることができる。
（１）内側パーツ１０５，１１５は、両頭ピストン１００の軸線方向において幅狭部１０５ａ，１１５ａよりも頭部１０３，１１３とは反対側に設けられ、幅狭部１０５ａ，１１５ａに対して幅方向Ｗに突出し、幅狭部１０５ａ，１１５ａよりも幅が広い幅広部１０５ｂ，１１５ｂを有する。幅広部１０５ｂ，１１５ｂの外面は、両頭ピストン１００がシリンダボア９１，９２内を往復動する際に、シリンダボア９１，９２の内周面に摺動可能になっている。これによれば、幅広部１０５ｂ，１１５ｂの外面がシリンダボア９１，９２の内周面に摺動しながら、両頭ピストン１００が下死点から上死点に向けて移動する際に、シリンダボア９１，９２内の潤滑油が幅広部１０５ｂ，１１５ｂによって頭部１０３，１１３に向けて引き込まれる。これにより、頭部１０３，１１３とシリンダボア９１，９２の内周面との間に潤滑油が供給され易くなり、頭部１０３，１１３とシリンダボア９１，９２の内周面との間の潤滑を良好なものとすることができる。
【００８３】
（２）幅広部１０５ｂ，１１５ｂは、幅方向Ｗ両側に突出している。例えば、幅広部１０５ｂ，１１５ｂが、幅方向Ｗ片側のみに突出している場合を考える。この場合に比べると、幅広部１０５ｂ，１１５ｂの外面がシリンダボア９１，９２の内周面に摺動しながら、両頭ピストン１００が下死点から上死点に向けて移動する際に、幅広部１０５ｂ，１１５ｂによって頭部１０３，１１３に向けて引き込まれるシリンダボア９１，９２内の潤滑油の量を多くすることができる。その結果、頭部１０３，１１３とシリンダボア９１，９２の内周面との間に潤滑油がさらに供給され易くなり、頭部１０３，１１３とシリンダボア９１，９２の内周面との間の潤滑をさらに良好なものとすることができる。
【００８４】
（３）圧縮機１０は、斜板５０の傾斜角度を変更するアクチュエータ７０を備えている。アクチュエータ７０は、回転軸２０の軸線方向Ｚに移動可能な移動体７１と、移動体７１と協働して制御室Ａ３を区画する区画体７２と、を有し、制御室Ａ３内の圧力に応じて移動体７１が移動することにより斜板５０の傾斜角度を変更する。頭部１０３，１１３とシリンダボア９１，９２の内周面との間の潤滑が良好なものであるため、両頭ピストン１００の摺動性が良好になり、容量可変の制御性の向上を図ることができる。
【００８５】
（４）第２頭部１１３の径は、第１頭部１０３の径よりも小さい。これによれば、第１頭部１０３と第２頭部１１３とで、冷媒からの受圧面積を異ならせることができる。これにより、冷媒圧縮時に生じる圧縮反力を異ならせることができるため、容量可変を行い易くなる。よって、容量可変の制御性の向上を図ることができる。
【００８６】
なお、上記実施形態は以下のように変更してもよい。
○  図７に示すように、一対の引き込み部１０５ｆ，１１５ｆが、径方向Ｒから見て、幅方向Ｗに沿って延びる延在部Ｒ１と、延在部Ｒ１の先端部に連続するとともに頭部１０３，１１３に向かって突出する凸部Ｒ２とから形成されていてもよい。凸部Ｒ２における幅狭部１０５ａ，１１５ａ側の側面は、延在部Ｒ１から頭部１０３，１１３に向かうにつれて幅狭部１０５ａ，１１５ａに対して幅方向Ｗ外側に向けて離間していく。
【００８７】
○  図８に示すように、拡大部１０５ｄ，１１５ｄが無く、径方向Ｒから見て、幅方向Ｗに沿って延びるものである一対の引き込み部１０５ｇ，１１５ｇを有する幅広部１０５ｂ，１１５ｂであってもよい。
【００８８】
○  実施形態において、頭部１０３，１１３と幅狭部１０５ａ，１１５ａとの間に段差があり、頭部１０３，１１３の外周面１０３ｂ，１１３ｂよりも幅狭部１０５ａ，１１５ａ及び幅広部１０５ｂ，１１５ｂの外面が径方向Ｒ内側に位置していてもよい。両頭ピストン１００には、斜板５０の回転に伴い、シュー１２０を介して径方向Ｒ内側の成分と幅方向Ｗの成分とを含む押圧力が付与される。そして、当該押圧力によって両頭ピストン１００が径方向Ｒ及び幅方向Ｗの少なくとも一方に撓む。ここで、首部１０１が径方向Ｒに撓んで、両頭ピストン１００が径方向Ｒに撓むと、内側パーツ１０５，１１５の幅広部１０５ｂ，１１５ｂが、シリンダボア９１，９２の内周面に当接し、首部１０１がそれ以上撓まないように規制される。そして、幅広部１０５ｂ，１１５ｂの外面がシリンダボア９１，９２の内周面に摺動しながら、両頭ピストン１００が下死点から上死点に向けて移動することになる。よって、頭部１０３，１１３と幅狭部１０５ａ，１１５ａとの間に段差があり、頭部１０３，１１３の外周面１０３ｂ，１１３ｂよりも幅狭部１０５ａ，１１５ａ及び幅広部１０５ｂ，１１５ｂの外面が径方向Ｒ内側に位置していても、幅広部１０５ｂ，１１５ｂの外面は、シリンダボア９１，９２の内周面に摺動可能である。
【００８９】
○  実施形態において、幅広部１０５ｂ，１１５ｂが、幅方向Ｗ片側のみに突出していてもよい。
○  実施形態において、幅狭部１０５ａ，１１５ａの幅Ｗ３が、シュー座幅Ｗ２と同一であってもよい。
【００９０】
○  実施形態では、両頭ピストン１００の軸線方向において、第１連結部１０４の長さは第２連結部１１４よりも長くなっていたが、これに限られず、両者の長さは同一であってもよいし、逆であってもよい。
【００９１】
○  実施形態において、第１頭部１０３と第２頭部１１３とは同一の大きさであってもよいし、第２頭部１１３の方が第１頭部１０３よりも大きくてもよい。また、頭部１０３，１１３は円柱状でもよい。
【００９２】
○  実施形態において、首部１０１及び連結部１０４，１１４の具体的な形状は、実施形態のものに限られない。
○  実施形態において、アクチュエータ７０は、斜板５０の傾斜角度を変更可能であれば、その具体的な構成は任意である。同様に、リンク機構６０は、回転軸２０の動力を斜板５０に伝達することができれば、その具体的な構成は任意である。
【００９３】
○  実施形態において、第１突出部８１及び第２突出部８２の少なくとも一方を省略してもよい。
○  実施形態において、シリンダボア９１，９２及び両頭ピストン１００の数は任意であり、例えば１つであってもよい。
【００９４】
○  実施形態では、両内側パーツ１０５，１１５の幅は、基本的に同一に設定されていたが、これに限られず、異なっていてもよい。同様に、両外側パーツ１０６，１１６の幅は、基本的に同一に設定されているが、これに限られず、異なっていてもよい。また、第１内側パーツ１０５の幅と第１外側パーツ１０６の幅とは、同一であってもよいし、異なっていてもよい。第２内側パーツ１１５の幅及び第２外側パーツ１１６の幅についても同様である。
【００９５】
○  実施形態において、圧縮機１０は、容量可変型であったが、これに限られず、容量固定型、すなわち斜板５０の傾斜角度が固定のものであってもよい。
○  実施形態において、圧縮機１０の搭載対象は、車両に限られず、任意である。
【符号の説明】
【００９６】
１０…両頭ピストン型斜板式圧縮機、１１…ハウジング、２０…回転軸、５０…斜板、７０…アクチュエータ、７１…移動体、７２…区画体、９１，９２…一対のシリンダボア、１００…両頭ピストン、１０１…首部、１０２，１１２…一対のシュー保持部、１０３，１１３…一対の頭部、１０４，１１４…一対の連結部、１０５，１１５…内側パーツ、１０５ａ，１１５ａ…幅狭部、１０５ｂ，１１５ｂ…幅広部、１０６，１１６…外側パーツ、１２０…シュー、Ａ３…制御室、Ａ４，Ａ５…圧縮室。
【図１】
2017180292.tif 000003
【図２】
2017180292.tif 000004
【図３】
2017180292.tif 000005
【図４】
2017180292.tif 000006
【図５】
2017180292.tif 000007
【図６】
2017180292.tif 000008
【図７】
2017180292.tif 000009
【図８】
2017180292.tif 000010